(57)【要約】【課題】言語カードから言語データをインストールして装置の動作パネル等の表示に使用するとき、インストールしたい言語データが複数枚の言語カードに分かれて格納されていても使用する言語を容易に選択、格納できるようにする。【解決手段】デジタル複写機の制御部にあるＣＰＵ（不図示）は、該複写機に装着された言語カード中の、種類の異なる複数の言語データと言語データが格納可能か否かを区別する識別子を有する言語リストの一覧を参照し（Ｓ１０１）、ユーザーがインストールを指示した言語データが識別子を有するか否かを判断し（Ｓ１０２）、識別子の有無により、インストールを行い（Ｓ１０３）、又は他の言語カードを選択、交換する表示を行う（Ｓ１０４）ように制御する。【選択図】　図１９
2004112341.tif 000002
【特許請求の範囲】
【請求項１】
データの書き換え可能な記憶手段に言語データを格納し、該記憶手段から読み出した言語データを用いて装置の動作に関する情報を表示する画像処理装置において、
種類の異なる複数の言語データと、言語データが格納可能か否かを区別する識別子を有する言語リストとを記憶したメモリから前記言語リストを読み出す手段と、
読み出した言語リストからユーザーが指示した言語データを選択する手段と、選択した言語データが前記識別子を有するか否かに基いて言語データを前記記憶手段に格納し、又は他の種類の異なる複数の言語データと言語データが格納可能か否かを区別する識別子を有する言語リストとを記憶したメモリを選択するように表示させる制御手段
を備えたことを特徴とする画像処理装置。
【請求項２】
請求項１記載の画像処理装置において、前記メモリは、画像処理装置の外部に露出する装着口に着脱自在であることを特徴とする画像処理装置。
【請求項３】
請求項１又は２記載の画像処理装置において、前記記憶手段は、不揮発性記憶手段であって、前記選択した言語データの識別子を記憶することを特徴とする画像処理装置。
【請求項４】
請求項３記載の画像処理装置において、前記制御手段は、前記記憶手段に記憶した識別子を参照して該識別子の言語データを前記記憶手段に格納するように制御することを特徴とする画像処理装置。
【発明の詳細な説明】
【０００１】
【発明の属する技術分野】
本発明は、メモリカードのような記憶手段に種類の異なる複数の言語データを格納し、装置が使用される地域ごとに該当する言語データを読み出し、読み出した言語データによって装置の動作を表示する画像処理装置に関する。
【０００２】
【従来の技術】
デジタル複写機等の画像処理装置は、画像情報を処理対象としているので、広く世界中で言語の違いを越えて利用されているが、装置を利用する際に、コピー条件等の設定を行う操作パネルに表示される言語が、利用者によって使用する言語が違うため、理解できない場合がある。このために、複数の言語を用意し、その中から利用者が選択した表示言語を用いるようにした提案がなされている。
しかしながら、利用されるあらゆる言語を用意するとなると、そのためのメモリ等の装備が重くなってしまう。この点を回避するために、一般的には、使用する情報を外部から入れ替える方法が採られる（例えば、アプリケーションプログラムがロードされたメモリカードから用途に応じて必要なプログラムを本体にダウンロードして用いる、といった例に見られる）。
使用する情報を外部から入れ替える方法を複写機等の画像処理装置の操作パネルに表示される言語データに適用することにより、複数言語の組み合わせを自由に変更することが可能になるが、そのためには、外部記憶媒体に格納された言語データを装置本体のフラッシュＲＯＭにダウンロード（インストール）するためのしくみが必要である。
一方、外部記憶媒体としてメモリカードを用いる時、言語データが記録されたメモリカードを各言語ごとに別々に用意する方法も考えられるが、１枚のカードに複数の言語データを記録した方が複数言語のダウンロードをする際にもカードの差し替えがなくて便利である。
そこで、外部記憶媒体から本体ＲＯＭに言語データをダウンロードする際に、外部記憶媒体の本体装着時における外部記憶媒体側の言語データの開始アドレスを該言語データの一部に追加して書き込むことによりダウンロードを単純化する発明が開示されている（特許文献１参照）。
【０００３】
【特許文献１】特開２００１−６０１９６号公報（段落（００１９）、図７）
【０００４】
しかしながら、近年、操作パネル表示の対応言語数は増加傾向にあり、言語データが１枚の言語カードに収まらない場合が出てきた。このような場合に対処するため、言語カードを複数枚に分割し、それぞれの言語カードに別々の言語を格納するが、ユーザーがデジタル複写機にインストールしたい言語がどの言語カードに入っているか解らなくなるという問題が発生する。またデジタル複写機の電源がオフされ再度オンされた場合、オフされる前にインストールのために選択した言語が消去され、電源の再度のオン時に再度インストール作業をやり直さなければならないという問題もあった。
【０００５】
【発明が解決しようとする課題】
本発明は、上述のような実状に鑑みてなされたもので、その第１の目的は、インストールしたい異なる種類の複数の言語が複数枚の言語カードに分かれて格納されてもユーザーが使用したい言語を容易に選択し、インストールすることができるようにすることであり、第２の目的は、画像処理装置の電源が一旦オフされ再度オンされる場合や言語カードが装着し直される場合にも元の言語データが自動的に選択され、インストールすることができるようにすることである。
【０００６】
【課題を解決するための手段】
請求項１の発明は、データの書き換え可能な記憶手段に言語データを格納し、該記憶手段から読み出した言語データを用いて装置の動作に関する情報を表示する画像処理装置において、種類の異なる複数の言語データと、言語データが格納可能か否かを区別する識別子を有する言語リストとを記憶したメモリから前記言語リストを読み出す手段と、読み出した言語リストからユーザーが指示した言語データを選択する手段と、選択した言語データが前記識別子を有するか否かに基いて言語データを前記記憶手段に格納し、又は他の種類の異なる複数の言語データと言語データが格納可能か否かを区別する識別子を有する言語リストとを記憶したメモリを選択するように表示させる制御手段を備えたことを特徴とする画像処理装置である。
【０００７】
請求項２の発明は、請求項１記載の画像処理装置において、前記メモリは、画像処理装置の外部に露出する装着口に着脱自在であることを特徴とする画像処理装置である。
【０００８】
請求項３の発明は、請求項１又は２記載の画像処理装置において、前記記憶手段は、不揮発性記憶手段であって、前記選択した言語データの識別子を記憶することを特徴とする画像処理装置である。
【０００９】
請求項４の発明は、請求項３記載の画像処理装置において、前記制御手段は、前記記憶手段に記憶した識別子を参照して該識別子の言語データを前記記憶手段に格納するように制御することを特徴とする画像処理装置である。
【００１０】
【発明の実施の形態】
以下、本発明の実施形態を図面を参照して説明する。
図１は、本発明の実施形態に係るデジタル複写機の制御部の要部ブロック構成図である。
図１を参照し、本実施形態に係る複写機における原稿から読み取られた画像信号からコピー作成用作像データを生成するまでの画像データ処理部の構成及び動作の概要を説明する。
図１において、画像データの流れが太線の矢印で表わされている。コンタクトガラス（図示せず）上にセットされた紙原稿はＣＣＤ１にて読み取られ、得られた画像信号は読み取り制御部２に送られる。読み取り制御部２ではＡＤ変換等が行われ、デジタル画像データとして画像処理部３に入力される。画像処理部３では、画像データにデジタル複写機において通常行われる各種の補正・変換処理が施され、書き込み制御部４へと送られる。書き込み制御部４では、画像データに基づいて光書き込みを行うＬＤ（レーザダイオード）５の駆動制御信号を生成し、ＬＤ５へ入力してレーザ光出力を制御する。レーザ光走査により感光体ドラム（図示せず）を露光することによりレーザ書き込みがなされ、図示しない帯電処理と合わせ、静電潜像が作られ、いわゆる電子写真プロセスにより画像が転写紙に形成される。なお、本例では、原稿画像以外の書き込み画像データを生成するために、印字ＲＡＭ７と印字制御部６を備える。
【００１１】
また、複写機の制御部に対し動作条件の設定や動作指令を与える操作部を構成する要素として、ＶＲＡＭ１１、ＬＣＤ制御部１２、及びＬＣＤ（液晶表示装置）１３からなる表示部とキー１５及び入力ポート１４からなる入力部を備える。
図２に操作部の操作パネル２１面が示されているが、ここには、ＬＣＤ制御部１２によって、ＶＲＡＭ１１に展開したビットマップを、ＬＣＤ１３のモジュールに転送表示した表示画面２２が設けられる。また、図２にキーの配置が示される言語切替キー２３やプリントキー２８、さらに表示画面２２上に形成されるキー等の各キーは、図１におけるキー１５に対応し、これらのキー操作による入力を入力ポート１４を介してＣＰＵ１０がリードする。
上記の動作を全体として制御するのがＣＰＵ１０で、ＣＰＵ１０と読み取り制御部２、画像処理部３、書き込み制御部４、印字制御部６、入力ポート１４、ＬＣＤ制御部１２、はアドレスバス、データバスで接続され、フラッシュＲＯＭ（なお、フラッシュＲＯＭに限定されるものではなく、通常使用されるＲＯＭでもよい）８に格納されたプログラムによりワークメモリとしてＲＡＭ９を使い、制御動作を実行する。
【００１２】
ＣＰＵ１０の制御下で実行される動作の１つに、上記のように、複写機に動作条件を設定し動作指令を与える操作部の動作があり、このために必要なプログラムやデータがメモリに用意される。具体的には、フラッシュＲＯＭ８は格納されたプログラムの１つに操作部の動作プログラムを持ち、さらに操作部の画面表示に用いる言語データ（文字フォント、テキスト、アイコン用ビットマップデータ）を保持する。なお、フラッシュＲＯＭ８には、その他にもスタンプ印字画像用ビットマップデータを保持する。
操作部のパネル面（図２参照）に示される言語切替キー２３のキー操作によりＬＣＤ２２に表示される言語を切り替えることができるが、切替データは、フラッシュＲＯＭ８に格納されたデータの中から選択される。また、装置に内蔵されるフラッシュＲＯＭ８以外に外部記憶媒体、この例では、ＩＣカードとして示されるＮＶＲＡＭ１６を利用することができるように構成される。
【００１３】
ここで、本実施形態における言語切替のしくみと、切替が可能な言語依存データの在り方について説明する。ここでは日本語・英語の２言語切替の場合で説明するが、３言語でも４言語でも可能である。
言語依存するデータは図３に示すブロック構成で格納されている。図３の第１言語データ（日本語）、第２言語データ（英語）のブロックはそれぞれ一言語分のデータである。言語データのブロック構成は、先頭にはヘッダ部分３１、言語データの終わりには言語エンド４０があり、その間に、文字列配列、アイコン、フォント、プロポーショナル情報に分けられたそれぞれのデータのアドレスを格納するためのポインタテーブル３２，３４，３６，３８とデータ本体３３，３５，３７，３９で構成される。
ヘッダ部分３１には言語ＩＤ、その言語で使用する文字コードＩＤ、文字列配列、アイコン、フォントそれぞれのポインタテーブル３２，３４，３６の先頭アドレス、プロポーショナルフォントで用いるプロポーショナル情報へのポインタテーブルの先頭アドレス３８等が格納される。
【００１４】
ポインタテーブルにおける文字列・アイコン・フォントの配置順はあらかじめ定義しておく。つまり、図３にポインタテーブル３２，３４，３６の内容が展開して例示（日本語、英語にて示される）されるように、”コピーできます”、”おまちください”、‥‥‥といった文字列はテーブルにおける配置順が決められており、使用する文字列を指定する場合にその順番を使い、指定した順番のテーブルを参照することにより、文字列のデータ本体のアドレスを取得する。
データ本体において、文字列は文字コードの配列で、アイコン、フォントはバイナリデータである。フォントデータの場合、その言語においてサポートされないフォント種類のデータについては中身を空にしておく。プロポーショナルフォントの場合に使用するプロポーショナル情報についても同様である。図３の例では日本語データにはプロポーショナルフォントを搭載しないので空としている。
このように言語データをポインタテーブルとデータ本体に分けることにより、例えばＣ言語でプログラムを記述する場合はデータのアドレスを参照するためのポインタテーブルを言語ごとに切り替えることにより言語切替が可能となる。
また、第１言語または第２言語をデフォルト言語として設定することができ、電源投入時はデフォルト言語で表示が行われる。
【００１５】
次に、図３に示すブロック構成をとり外部記録媒体に記録された言語データによってブロック単位でフラッシュＲＯＭ８に格納される言語データを書き換えるようにした実施形態を説明する。この例は、外部記憶媒体としてＩＣカード（メモリカード）１６を用い、言語データが複数言語分格納されたＩＣカード１６を装着し、ＩＣカード１６より１言語分のデータを読み出し、フラッシュＲＯＭ８のプログラム部分はそのままにして操作部表示用の言語データのみを書き換える言語データダウンロードプログラムによって、ＩＣカード（言語カード）１６に格納されている言語の中から選択される言語データをダウンロードするものである。
【００１６】
図４は、ＩＣカードを装着した時のメモリマップの１例を示す。
図４に示すように、上半分がフラッシュメモリ（フラッシュＲＯＭ８）、下半分がＩＣカードに割り付けられている。言語データダウンロードプログラムはフラッシュメモリ側に持ち、フラッシュメモリの第１言語開始アドレス、第２言語開始アドレスは固定アドレスとし、フラッシュメモリ内の言語データの大きさは固定とする。ＩＣカードには各言語のデータが格納されている。ＩＣカード内での各言語データへのアクセスは言語リスト内の各言語のスタートアドレス、エンドアドレスを用いて行う。
【００１７】
図５はＩＣカードより１言語分のデータを読み出し、フラッシュＲＯＭの操作部表示用の言語データのみを書き換える言語データダウンロードプログラムによる処理の流れを示す。
この処理フローでは、先ず、言語データを第１言語、第２言語どちらの領域にダウンロードするかを選択する（Ｓ５１）。次に、選択されたことを確認した（Ｓ５２）後、ＩＣカードに格納されているどの言語をダウンロードするか選択し（Ｓ５３）、実行キーが押下されたことをチェックして（Ｓ５４）、ダウンロードが開始される。ＩＣカードからフラッシュメモリへデータ転送が行われ（Ｓ５５）、それが終了すると、書き込んだ値と読み出した値をベリファイする（Ｓ５６）。その結果をチェックし（Ｓ５７）、ＯＫの場合は、操作部の表示画面に「転送完了」のメッセージを表示し（Ｓ５８）、ＮＧの場合は、「異常終了」のメッセージを表示する（Ｓ５９）。
【００１８】
ここで、ＩＣカードからフラッシュメモリに言語データを転送する処理の流れを、図６を参照して、より詳しく説明すると、処理対象のデータが、図３に示すブロック構成をとる言語データの終わりを指示する「言語エンド」であるか否かをチェックし（Ｓ６１）、「言語エンド」ではない場合に、転送すべき言語データをＩＣカードからデータを読み出し（Ｓ６２）、フラッシュメモリに転送しデータ書き込みを行い（Ｓ６３）、言語データの終わりの「言語エンド」に到達するまでこの手順を繰り返す。
【００１９】
上記のようにデータ転送を行う場合、ポインタテーブルに格納されているデータのアドレスはメモリカード上でのものなので、実際にフラッシュメモリにダウンロードした時のデータのアドレスとは違うものになってしまうという問題が発生する。
【００２０】
そこで、言語データのヘッダにＩＣカードにおける各言語データの先頭アドレス、つまり、コンパイル時のヘッダ自身のポインタ（図４のＩＣカード上の各言語データの先頭アドレス）を追加する。図７に、追加された先頭アドレスの１例を示す。図７中、ヘッダ７１の先頭にコンパイル時のヘッダ自身のポインタ７２を示すデータが挿入されている。言語データを読み出す際には、この追加された先頭アドレスを基に計算される先頭アドレスからのオフセットを用いてアクセスする。
【００２１】
ここで、フラッシュメモリにおいて言語データを参照する場合の処理の流れを、図８にもとづいて説明すると、先ず、言語データを番号により指定し（Ｓ８１）、ポインタテーブルのその番号の位置を見に行くことにより言語データのアドレスを取得する（Ｓ８２）。現在選択されている表示言語が第１言語であるか否かを調べ（Ｓ８３）、第１言語である場合、取得したアドレスから言語データの先頭アドレス７２（図７）を引き、第１言語の先頭アドレス（図３）を足すことにより、フラッシュメモリ上でのデータのアドレスを得ることができる（Ｓ８４）。なお、現在の表示言語が第２言語の場合も同様の手順で行うことができる（Ｓ８５）。
【００２２】
次に言語カードから言語データのインストールについて説明する。
図９は、言語データのインストール画面の例を示す図である。
図９において、５１は第１言語にインストールする第１言語キー、５４は第２言語にインストールする第１言語キー、そして５７はスタートキーである。第１言語にある言語データをインストールする場合、第１言語キー５１を押下すると図１０のポップアップ画面が開き、メモリカードに搭載されている異なる種類の言語のキー、例えば日本語キー６１、英語キー６２、米語キー６３、フランス語キー６４等のキーが表示される。この中からインストールする言語を選択する。例えばフランス語キー６４によりフランス語を選択し、ＯＫキー６５を押下するとポップアップ画面が閉じ、図９の言語インストール画面に戻ると同時に選択言語欄５３にインストールするフランス語が表示される。
図１１は、この選択言語欄５３にインストールするフランス語が表示される画面を示す。
ここでスタートキー５７を押下することにより、言語データのインストールが開始される。インストールの進行状況は、図１１の＊マーク５８の漸増によって表示される。フランス語のインストールが終了すると図１１のインストール画面は、図１２のインストール画面に変わり、第１言語のインストール言語欄（Ｎｏｗ　Ｌａｎｇ）６２にＦｒｅｎｃｈとして表示される。なお、図９において第１言語、第２言語を同時に指定して言語インストールを行うこともできる。
【００２３】
次に、言語カードに記憶すべき言語数が増加し、１枚に収まりきらなくなった場合の対応について説明する。
ここでは、言語カードに記憶できる言語データ数が８言語分、対応言語数１６を２枚の言語カードに分ける場合について説明するが、言語カードに記憶できる言語分、対応言語数は他の数でも同様の処理が可能である。
図１３は、１６言語を２枚の言語カードに分けた場合の言語カードのメモリマップを示す。
図１３の言語カードＡには、日本語、英語、米語、フランス語、ドイツ語、イタリア語、スペイン語、オランダ語のデータが、そして言語カードＢには、ノルウェー語、デンマーク語、スウェーデン語、ポーランド語、ポルトガル語、ハンガリー語、チェコ語、フィンランド語がそれぞれ記憶される。それぞれのカードにはそのカードに記憶されている言語データについての言語リストが埋め込まれている。なお、ここでは言語カードを２枚に分割したが、３枚以上の場合も同様である。
【００２４】
これらの言語カードをデジタル複写機の外部に露出する装着口（不図示）に挿入し装着すると、言語インストール画面が表示される。
図１４は、言語インストール画面を示す図であり、図１４（Ａ）は言語カードＡを装着した場合、図１４（Ｂ）は言語カードＢを装着した場合を示す。言語カードＡの場合、ノルウェー語は表示されないため、ユーザーはノルウェー語が対応言語に入っているかどうかは、この画面だけでは判断できない。
【００２５】
そこで、言語カードＡの言語リストに、言語カードＢに記憶されている言語の言語リストを追加し、追加した言語リストに言語ＩＤ等を埋め込んだ言語カードＡ１を作成しておく。
図１５は、言語カードＡの言語リストに、言語カードＢに記憶されている言語リストを追加した言語カードＡ１のメモリマップを示す。
図１５の言語カードにおいて、言語データが言語カード中にない場合は、言語リストのスタートアドレス、エンドアドレスにＮＵＬＬをセットする。また、言語リストのメンバーにその言語が記憶されている言語カードの名称、Ｌａｎｇ　ＣａｒｄＡ、Ｌａｎｇ　ＣａｒｄＢ等を追加する。言語カードＢについても同様に行う。
【００２６】
いま言語カードＡ１を装着し、表示された図９の第１言語キー５１を押下すると、ＣＰＵ１０は、言語選択を行い、言語カードＡ，言語カードＢに搭載されている言語を合わせたものを読み出し選択言語一覧として表示させる。図１６はこの画面を示す。ここで、ユーザーは、ノルウェー語キー７１を押下してノルウェー語を選択する。
【００２７】
図１７は、選択言語としてノルウェー語を選択した場合の画面を示し、ノルウェー語が選択されたことによってノルウェー語キー７１が反転する。ここでＯＫキー７２が押下されると言語カードＡ１にノルウェー語は記憶されていないので、言語カードＢを挿入するようメッセージが表示される。
図１８は、言語カードＢを挿入するメッセージの例を示す。
【００２８】
図１９は、この処理のフローチャートを示す図であり、図１９を参照して説明する。まずデジタル複写機に言語カードＡ１を装着して言語データのインストールの処理をスタートさせると、ＣＰＵ１０は、言語カードＡ１を参照し（Ｓ１０１）、選択言語一覧を表示させる。ユーザーはこの表示から所定の言語を選択すると、ＣＰＵ１０は、選択された言語の言語リストのスタートアドレス、エンドアドレスにＮＵＬＬがセットされているか否かを判断する（Ｓ１０２）。ＮＵＬＬがセットされていなければ、選択された言語をインストール言語としてＮＶＲＡＭ１６にインストールする（Ｓ１０３）。ＮＵＬＬがセットされていれば、他の言語カードを選択、交換するメッセージを表示させる（Ｓ１０４）。
【００２９】
次に、一旦電源がＯＦＦされ再度ＯＮされる場合、言語カードが装着し直される場合等について説明する。
一旦電源をＯＦＦにして言語カードが装着され直された後も、選択された言語ＩＤを記憶しておくため、ＮＶＲＡＭ１６（図１）上に第１言語、第２言語で選択された言語ＩＤの記憶領域を確保する。
図２０は、言語ＩＤ領域に選択された言語ＩＤを記憶する処理のフローチャートである。この処理は図１９で説明した処理に言語ＩＤ記憶の処理が追加されるものであり、追加処理部分を説明すると、ＮＵＬＬがセットされていて、他の言語カード（言語カードＢ）を挿入するメッセージを表示するようにした後（図１９のステップＳ１０４）、選択された言語ＩＤをＮＶＲＡＭ１６に記憶する処理を行う（Ｓ２０１）。
【００３０】
これにより再び電源がＯＮされたときのインストール画面は図２１のようになる。図２１の選択言語欄には第１言語にインストールする言語として前回選択した言語（本実施形態の場合はノルウェー語）７３が自動的にセットされる。このセットにより前回選択した言語が自動的にインストールされる。
【００３１】
図２２は、電源再投入時に前回選択した言語を自動的にインストールする処理のフローチャートである。
一旦電源をＯＦＦにした後、電源が再びＯＮされると、ＣＰＵ１０は前回選択言語の自動セットを開始し、第１言語用ＮＶＲＡＭ１６に前回選択の言語ＩＤが設定されているかチェックし（Ｓ３０１）、設定されている場合はその言語の言語リストを参照し、スタートアドレスがＮＵＬＬでなかった場合にはインストール言語としてＮＶＲＡＭ１６に記憶されている言語をインストールする言語選択時の処理を行う（Ｓ３０２）。第１言語用ＮＶＲＡＭ１６に前回選択の言語ＩＤが設定されていない場合は、第２言語用ＮＶＲＡＭ１６に前回選択の言語ＩＤが設定されているかチェックし（Ｓ３０３）、同様の処理を行う（Ｓ３０４）。
【００３２】
【発明の効果】
請求項１，２に対応する効果：インストールしたい異なる種類の複数の言語が複数枚の言語カードに分かれて格納されてもユーザーが使用したい言語を容易に選択し、インストールすることができる。
請求項３，４に対応する効果：画像処理装置の電源が一旦オフされ再度オンされる場合や言語カードが装着し直される場合にも元の言語データを自動的に選択し、インストールすることができる。
【図面の簡単な説明】
【図１】本発明の実施形態に係るデジタル複写機の制御部の要部ブロック構成図である。
【図２】操作部の操作パネル面を示す図である。
【図３】メモリに格納される言語データのブロック構成図である。
【図４】言語データを搭載したＩＣカードを装着した時のメモリマップを示す図である。
【図５】言語データダウンロード処理のフローチャートである。
【図６】言語データ転送処理のフローチャートである。
【図７】ヘッダにＩＣカード上の言語データの先頭アドレスを追加した言語データの構成を示す図である。
【図８】フラッシュメモリの言語データを参照する場合の処理のフローチャートである。
【図９】言語データのインストール画面の例を示す図である。
【図１０】インストール言語のポップアップ画面を示す図である。
【図１１】インストール画面を示す図である。
【図１２】インストール画面を示す図である。
【図１３】１６言語を２枚の言語カードに分けた場合の言語カードのメモリマップを示す図である。
【図１４】インストール言語のポップアップ画面を示す図である。
【図１５】言語カードＡの言語リストに、言語カードＢに記憶されている言語リストを追加した言語カードのメモリマップを示す図である。
【図１６】インストール言語のポップアップ画面を示す図である。
【図１７】インストール言語のポップアップ画面を示す図である。
【図１８】言語カードＢを挿入するメッセージの例を示す図である。
【図１９】選択言語をインストールする処理のフローチャートである。
【図２０】言語ＩＤ領域に選択された言語ＩＤを記憶する処理のフローチャートである。
【図２１】インストール画面を示す図である。
【図２２】電源再投入時に前回選択した言語を自動的にインストールする処理のフローチャートである。
【符号の説明】
８・・・・フラッシュＲＯＭ、９・・・・ＲＡＭ、１０・・・・ＣＯＵ、１１・・・・ＶＲＡＭ、１２・・・・ＬＣＤ制御部、１３・・・・ＬＣＤ、１４・・・・入力ポート、２１・・・・操作パネル。
【図１】
2004112341.tif 000003
【図２】
2004112341.tif 000004
【図３】
2004112341.tif 000005
【図４】
2004112341.tif 000006
【図５】
2004112341.tif 000007
【図６】
2004112341.tif 000008
【図７】
2004112341.tif 000009
【図８】
2004112341.tif 000010
【図９】
2004112341.tif 000011
【図１０】
2004112341.tif 000012
【図１１】
2004112341.tif 000013
【図１２】
2004112341.tif 000014
【図１３】
2004112341.tif 000015
【図１４】
2004112341.tif 000016
【図１５】
2004112341.tif 000017
【図１６】
2004112341.tif 000018
【図１７】
2004112341.tif 000019
【図１８】
2004112341.tif 000020
【図１９】
2004112341.tif 000021
【図２０】
2004112341.tif 000022
【図２１】
2004112341.tif 000023
【図２２】
2004112341.tif 000024